(57)【特許請求の範囲】
【請求項１】
外線または交換機と接続される親機と、前記親機と無線接続されるコードレス子機と前記親機から給電される充電器から成る電話装置において、
前記親機は、前記充電器に前記コードレス子機が載置されているか否かを検知する子機載置検知手段と、前記充電器を介して前記コードレス子機に無線接続開始を指示する無線接続開始指示手段を具備し、
前記充電器に前記コードレス子機が載置されている状態で、プリセット表示操作をした時、前記親機の無線接続開始指示手段は、前記充電器を介して前記コードレス子機に無線接続の開始を指示し、前記コードレス子機が前記充電器に載置された状態のままで、前記親機と前記コードレス子機の無線接続を確立することを特徴とする、発信時接続時間短縮機能を有する電話装置。
【発明の詳細な説明】
【技術分野】
【０００１】
本発明は、コードレス電話機でキー操作機能を有する、充電器を具備した親機において、特に子機が親機と無線接続に要する時間を短縮化した電話装置に関するものである。
【背景技術】
【０００２】
従来、親機に戴置した子機の発信時接続時間の短縮化方法として、例えば、特許文献１：特許第３０５１７９９号公報に記載のように、親機に設けられたオンフックキーの押下操作により、親機に内蔵された充電回路をＯＦＦして、子機と親機間を無線接続し、子機はＯＦＦしたことを検出し、子機を親機より取り上げることで、親機に設けられた取り上げ検出スイッチで判断し、子機で通話が行なわれるようになっていた。
【０００３】
【特許文献１】特許第３０５１７９９号公報
【発明の開示】
【発明が解決しようとする課題】
【０００４】
しかしながら、上記従来装置には、電話帳、発着信履歴などを表示させた発信プリセット状態のことは何らふれていない。
【０００５】
しかし、親機で電話帳、発着信履歴などを表示させた発信プリセット状態から、子機を親機から取り上げる場合においては、発信プリセット状態から、子機を親機から取り上げるまでに時間がかかり、したがって発信時の接続時間短縮に課題がある。
【０００６】
また、オンフックキーを押下すると親機は充電を止めてしまうと共に、子機を親機から取り上げたことを検出するために、子機の充電を行なう端子以外に別に取り上げ検出スイッチを設ける必要があった。
【０００７】
本発明の目的は、親機で電話帳、発着信履歴などを表示させた発信プリセット状態から、コードレス子機を親機から取り上げる場合における、親機に戴置した子機の発信時接続時間を短縮化する、発信時接続時間短縮機能を有する電話装置を提供することにある。
【０００８】
また本発明の目的は、充電端子以外に必要であった、取り上げ検出スイッチを削除する、
発信時接続時間短縮機能を有する電話装置を提供することにある。
【課題を解決するための手段】
【０００９】
本発明は、外線または交換機と接続される親機と、前記親機と無線接続されるコードレス子機と前記親機から給電される充電器から成る電話装置において、前記親機は、前記充電器に前記コードレス子機が載置されているか否かを検知する子機載置検知手段と、前記充電器を介して前記コードレス子機に無線接続開始を指示する無線接続開始指示手段を具備し、前記充電器に前記コードレス子機が載置されている状態で、プリセット表示操作をした時、前記親機の無線接続開始指示手段は、前記充電器を介して前記コードレス子機に無線接続の開始を指示し、前記コードレス子機が前記充電器に載置された状態のままで、前記親機と前記コードレス子機の無線接続を確立することを特徴とする。
【発明の効果】
【００１２】
本発明によれば、親機で電話帳、発着信履歴などを表示させた発信プリセット状態から、コードレス子機を親機から取り上げる場合における、親機に戴置した子機の発信時接続時間を短縮化する、発信時接続時間短縮機能を有する電話装置を得ることができる。
【００１３】
また本発明は、充電端子以外に必要であった、取り上げ検出スイッチを削除する、
発信時接続時間短縮機能を有する電話装置を得ることができる。
【発明を実施するための最良の形態】
【００１４】
以下、本発明の実施の形態を、図面を参照して説明する。
【００１５】
図１は、本発明に係るコードレス電話機のシステム構成図、図２Ａは子機と親機充電器の接続端子の一例を示す構成図、図２Ｂは子機と親機充電器の接続端子の他の例を示す構成図、図３は親機のブロック構成図、図４は子機のブロック構成図、図５は子機を親機充電器に戴置した待機状態での動作フロー図である。
【００１６】
図１において、子機１は、親機２に固定された親機充電器３に戴置することで、子機１と親機充電器３とを端子部４で接続し、親機充電器３で、親機２より子機１に端子部４を用いて充電を行なう。また端子部４は情報伝達用としても機能する。この状態では子機１と親機２は有線接続されている。親機２は回線ケーブル５で交換機又は外線６に接続される。なお７は子機アンテナ、８は親機アンテナである。
【００１７】
図２Ａにおいて、端子部４は、子機充電端子４１、子機充電端子４２、子機情報伝達用端子４３、親機充電端子４４、親機充電端子４５、親機情報伝達用端子４６からなる。
【００１８】
子機１を親機充電器３に戴置することで、子機充電端子４１と親機充電端子４４、子機充電端子４２と親機充電端子４５、子機情報伝達用端子４３と親機情報伝達用端子４６が各々接続される。
【００１９】
子機充電端子４１は子機１と親機充電器３の基準電位を規定するのに使用する。一般的にはグランドである。子機充電端子４２は親機充電器３から子機１に対して充電用の電源を供給するために用いる。子機情報伝達用端子４３は親機２より子機１に対して情報を伝達するために使用する。
【００２０】
図２Ｂにおいて、端子部４は、子機充電端子４１、子機情報伝達充電端子４２３、親機充電端子４４、親機情報伝達充電端子４５６からなる。すなわち、図２Ａにおける子機充電端子４２と子機情報伝達用端子４３を共用化して共通の子機情報伝達充電端子４２３とし、図２Ａにおける親機充電端子４５と親機情報伝達用端子４６を共用化して共通の親機情報伝達充電端子４５６としたことにある。親機充電部から供給される電圧を、高速でＯＮ，ＯＦＦしてパルス信号を送出し、直流成分は充電用、交流成分は情報伝達用とすることで、親機充電端子４５と親機情報伝達用端子４６、子機充電端子４２と子機情報伝達用端子４３を共用化することが可能である。
【００２１】
図３のコードレス電話機の親機２は、図４のコードレス電話機の子機１と無線で接続される。
【００２２】
図３において、親機２は、交換機又は外線６（図１）と回線ケーブル５で接続され、信号のやり取りを行なう回線インターフェース回路２１と、送受話，データ等の処理を行なう音声処理回路２２と、無線の送受信を行なう無線部２３と、無線部２３と接続され電波を送受信する親機アンテナ８と、ダイヤル操作やプリセット表示状態で相手先を指定する操作等各種操作を行なうキー部２５と、親機充電器３に具備し子機の充電用電源を供給する充電用電源回路３１と、子機に対し充電用電源を供給及び情報伝達用及び取り上げ検出を行なう図２Ｂ記載の親機充電端子４４および親機情報伝達充電端子４５６と、上記各部を制御する制御部２４とで構成される。
【００２３】
また、制御部２４は、回線インターフェース回路２１、音声処理回路２２、無線部２３をそれぞれ制御する無線音声回線制御手段２４１と、キー部２５よりキーを押下したことを検出するキー検出手段２４３と、キー検出手段２４３により検出され、充電用電源回路３１を制御することで、子機１に対し信号を送出する信号送出手段２４４と、子機１が親機２から取り上げたことを検出する取上検出手段２４５と、キー検出手段２４３と取上検出手段２４５からくる信号を監視し、無線音声回線制御手段２４１に信号を伝達する発信監視手段２４２とから構成される。
【００２４】
取上検出手段２４５においては、電圧を監視し、子機１が親機充電器３に戴置されたときは、子機１の図４で後述説明の充電制御手段１４３の状態にかかわらず、電圧降下を検知し、戴置を判断する。また子機１を取り上げたときは、取上検出手段２４５にて、電圧上昇を検知し、取上を判断する。戴置および取上の情報は、取上検出手段２４５から信号送出手段２４４に通知される、
キー検出手段２４３は、親機２に具備されたキー部２５の任意キーのいずれかが、押下されたことを検出し、親機２と子機１の無線接続開始を指示する。
【００２５】
図４のコードレス電話機の子機１は、図３のコードレス電話機の親機２に無線接続される。
【００２６】
図４において、子機１は、音声を送話，受話を行なう送受話器部１１と、送受話，データ等の処理を行なう音声処理回路１２と、無線の送受信を行なう無線部１３と、無線部１３と接続され電波を送受信するアンテナ７と、ダイヤル操作や各種操作を行なうキー部１５と、二次電池１６と、二次電池１６を充電する充電回路部１７と、図３の親機２と接続し、充電用電源を受給及び情報伝達用及び取り上げ検出を行なう図２Ｂ記載の子機充電端子４１および子機情報伝達充電端子４２３と、上記各部を制御する制御部１４とで構成される。
【００２７】
また、制御部１４は、音声処理回路１２と無線部１３をそれぞれ制御を行なう無線音声制御手段１４１と、キー部１５よりキーを押下したことを検出するキー検出手段１４２と、充電回路部１７を制御する充電制御手段１４３と、子機１が親機２から取り上げたことを検出する取上検出手段１４４と、子機情報伝達充電端子４２３を介して親機２から送られてくる信号を受信する信号受信手段１４５とで構成される。
【００２８】
次に、図５における、子機１を親機充電器３に戴置した待機状態からの動作フロー図について説明する。
【００２９】
子機１、親機２がそれぞれ待機中であって、親機２でキー部２５での、プリセット表示操作または相手先を指定するキー操作をしたかをキー検出手段２４３にて判断し（Ｓ５１）、キー操作をしていない場合はステップ５１に戻る。
【００３０】
ステップ５１で、キー操作をした場合は、子機１が親機充電器３に戴置しているかを、
子機の子機情報伝達充電端子４２３が親機２の親機情報伝達充電端子４５６と接続しているかどうかにより取上検出手段２４５で判断し（Ｓ５２）、戴置未検出の場合、通常の発信に移行する。
【００３１】
ステップ５２で、戴置しているのを検出した場合は、戴置の情報を取上検出手段２４５から信号送出手段２４４に通知する（Ｓ５３）。すると信号送出手段２４４は充電用電源回路３１を高速で制御し、無線接続を開始するための信号を生成し、親機情報伝達充電端子４５６より送出する(Ｓ５４)。
【００３２】
無線接続を開始するための信号は、図４に示す子機１の子機情報伝達充電端子４２３を介して信号受信手段１４５で受信され、無線音声制御手段１４１に伝達されて、無線音声制御手段１４１で、音声処理回路１２、無線部１３を動作させ、子機１から親機２へ無線接続を開始する(Ｓ５５)。
【００３３】
子機１から親機２へ無線接続を開始すると、図２に示す親機２の発信監視手段２４２は内蔵するタイマーをスタートさせ(Ｓ５６)、キー検出手段２４３と取上検出手段２４５を監視し、一定時間以内に、取上検出手段２４５から取り上げが検出されたかまたは無線音声回線制御手段２４１から回線接続が確認できたかを判断する(Ｓ５７)。
【００３４】
ステップ５７で、一定時間たっても、取上検出手段２４５から取り上げが未検出の場合または無線音声回線制御手段２４１から回線接続が確認できない場合は、無線部２３の接続切断を行なう(Ｓ５８)。これにより、誤操作の無線接続継続回避が可能になる。
【００３５】
ステップ５７で、取上検出手段２４５から取り上げが検出の場合または無線音声回線制御手段２４１から回線接続が確認できた場合は、親機２の音声処理回路２２と子機１の音声処理回路１２を制御し、子機１と親機２の通話路形成を行い（Ｓ５９）、通話を可能とする。
【００３６】
本実施の形態では、子機１が親機２に戴置した状態において、親機２のプリセット表示操作または相手先を指定する操作を行なうと、電源回路にて無線接続を開始するための信号を生成し、親機２から子機１の充電回路部へ送出することで、無線接続を開始する。その後、親機および子機の情報伝達充電を行なう端子で子機が親機から取り上げられたことを検出するが、その時にはすでに無線接続が確立されているので、直ちに通話可能状態になる。従って、発信プリセット状態から、子機を親機から取り上げる場合における、コードレス特有の接続時間による待ちを解消できるものである。
【００３７】
また、情報伝達充電端子で、親機から子機への情報伝達が可能になったので、充電端子以外に従来必要であった取り上げ検出スイッチを削除することができる。
【図面の簡単な説明】
【００３８】
【図１】本発明に係るコードレス電話機のシステム構成図である。
【図２Ａ】子機と親機充電器の接続端子の一例を示す構成図である。
【図２Ｂ】子機と親機充電器の接続端子の他の例を示す構成図である。
【図３】親機のブロック構成図である。
【図４】子機のブロック構成図である。
【図５】子機を親機充電器に戴置した待機状態での動作フロー図である。
【符号の説明】
【００３９】
１：子機、２：親機、３：充電器、４：端子部、５：回線ケーブル、６：交換機又は外線、７：子機アンテナ、８：親機アンテナ、１１：送受話器、１２：音声処理部、１３：無線部、１４：制御部、１４１：無線音声制御手段、１４２：キー検出手段、１４３：充電制御手段、１４４：取上検出手段、１４５：信号受信手段、１５：キー部、１６：二次電池、１７：充電回路部、２１：回線インタ−フェース回路、２２：音声処理部、２３：無線部、２４：制御部、２４１：無線音声回線制御手段、２４２：発信監視手段、２４３：キー検出手段、２４４：信号送出手段、２４５：取上検出手段、２５：キー部、３１：充電用電源回路、４１，４２：子機充電端子、４３：子機情報伝達端子、４２３：子機情報伝達充電端子、４４，４５：親機充電端子、４６：親機情報伝達端子、４５６：親機情報伝達充電端子。
【図１】
0004680737.tif 000002
【図２Ａ】
0004680737.tif 000003
【図２Ｂ】
0004680737.tif 000004
【図３】
0004680737.tif 000005
【図４】
0004680737.tif 000006
【図５】
0004680737.tif 000007